【手続補正書】
【提出日】平成31年4月11日(2019.4.11)
【手続補正１】
【補正対象書類名】明細書
【補正対象項目名】０００９
【補正方法】変更
【補正の内容】
【０００９】
本発明のさらなる態様は、さらなる下記の独立的態様の主題である。本発明の特に好ましい実施形態は、従属的態様の主題である。
本発明の態様として、以下の態様を挙げることができる：
《態様１》
−  式（Ｉ）の少なくとも１つのアミジン：
Ｙ−Ａ−Ｚ  （Ｉ）
（式中、
Ａは、２〜３０個の炭素原子を有し、かつ不飽和成分を有していてもよく、かつエーテル酸素又は第二級若しくは第三級アミン窒素を有していてもよい、二価のヒドロカルビルラジカルであり、
Ｙは、ヒドロキシル基、メルカプト基又はアミノ基であり、かつ
Ｚは、窒素原子によって結合したアミジン基であり、
ここで、Ｙ及びＺは、少なくとも２個の炭素原子によって互いに隔てられている）、
及び／又は
−  前記式（Ｉ）の少なくとも１つのアミジンと、少なくとも１つの官能性化合物との少なくとも１つの反応生成物
の、シラン基を含有するポリマーをベースとする組成物の架橋用の触媒としての使用であって、
Ａが、ポリオキシアルキレンラジカルではなく、かつ前記式（Ｉ）のアミジンが、芳香環に直接結合している窒素原子又はヘテロ芳香環系の一部である窒素原子のいずれも有していない、使用。
《態様２》
Ｚが、以下である、態様１に記載の使用：
【化１】
2018512483.tif 000001
（式中、
Ｒ０は、水素ラジカルであるか、又は１〜８個の炭素原子を有するアルキル若しくはシクロアルキル若しくはアラルキルラジカルであり、
Ｒ１は、水素ラジカルであるか、又は１〜８個の炭素原子を有するアルキル若しくはシクロアルキル若しくはアラルキルラジカルであるか、又はＲ２と一緒になってＲ４となり、
Ｒ２は、水素ラジカルであるか、又は１〜１８個の炭素原子を有し、かつヘテロ原子を有していてもよいアルキル、シクロアルキル若しくはアラルキルラジカルであるか、又はＲ１と一緒になってＲ４となり、
Ｒ３は、水素ラジカルであるか、又は１〜１２個の炭素原子を有するアルキル若しくはシクロアルキル若しくはアラルキルラジカルであり、及び
Ｒ４は、１，２−エチレン又は１，２−プロピレン又は１，３−プロピレン又は１，３−ブチレン又は１，３−ペンチレンであり、
ここで、
Ｒ０及びＲ２は、一緒になって、３〜６個の炭素原子を有し、かつエーテル酸素又は第三級アミン窒素を有していてもよいアルキレンラジカルとなってもよく、
Ｒ２及びＲ３は、一緒になって、３〜６個の炭素原子を有するアルキレンラジカルとなってもよい）。
《態様３》
Ｚが、以下である、態様２に記載の使用：
【化２】
2018512483.tif 000002
《態様４》
Ａが、１，２−エチレン、１，３−プロピレン、１，２−プロピレン、１，３−ペンチレン、１，１−ジメチル−１，２−エチレン、１，５−ペンチレン、２−メチル−１，５−ペンチレン、１，６−ヘキシレン、２，２（４），４−トリメチル−１，６−ヘキサメチレン、１，８−オクチレン、１，１０−デシレン、１，１２−ドデシレン、（１，５，５−トリメチルシクロヘキサン−１−イル）メタン−１，３、１，３−シクロヘキシレンビス（メチレン）、１，４−シクロヘキシレンビス（メチレン）、１，３−フェニレンビス（メチレン）、２−及び／又は４−メチル−１，３−シクロヘキシレン、Ｎ−メチル−４−アザ−１，７−ヘプチレン、Ｎ−エチル−４−アザ−１，７−ヘプチレン、３−アザ−１，５−ペンチレン、４−アザ−１，７−ヘプチレン、３−アザ−１，６−ヘキシレン、７−アザ−１，１３−トリデシレン、３−オキサ−１，５−ペンチレン、３，６−ジオキサ−１，８−オクチレン並びに４，７−ジオキサ−１，１０−デシレンからなる群から選択される、態様１〜３のいずれか一項に記載の使用。
《態様５》
Ｙが、ＮＲ８Ｒ９（式中、Ｒ８及びＲ９は、独立して、１〜８個の炭素原子を有するアルキルラジカルであるか、又は一緒になって、４〜１０個の炭素原子を有し、置換されていてもよいアルキレンラジカルである）である、態様１〜４のいずれか一項に記載の使用。
《態様６》
Ｙが、ＨＸ（式中、Ｘは、Ｏ又はＳ又はＮＲ７であり、ここで、Ｒ７は、水素ラジカルであるか、又は１〜８個の炭素原子を有するアルキル若しくはシクロアルキル若しくはアラルキルラジカルである）である、態様１〜４のいずれか一項に記載の使用。
《態様７》
前記官能性化合物が、エポキシド、アジリジン、カーボネート、カルボン酸無水物、カルボン酸、カルボン酸エステル、ラクトン、カルボニルクロリド、ケトン、アルデヒド、１，３−ジケトン、１，３−ケトエステル、１，３−ケトアミド、シアネート、チオシアネート、イソシアネート、イソチオシアネート、（メタ）アクリレート、（メタ）アクリルアミド、（メタ）アクリロニトリル、マレエート、マレアミド、マレイミド、フマレート、フマルアミド、イタコネート、イタコンアミド、クロトネート及びクロトンアミドから選択される少なくとも１つの反応基を有する、態様１〜６のいずれか一項に記載の使用。
《態様８》
前記反応生成物が、以下の式（ＩＩ）を有することを特徴とする、態様６又は７に記載の使用：
【化３】
2018512483.tif 000003
（式中、
ｐは、１〜６の整数であり、かつｒは、０〜５の整数であり、ここで、（ｐ＋ｒ）は、１〜６の整数であり、
Ｌは、
１４〜２０，０００ｇ／モルの範囲の平均分子量を有し、ヘテロ原子を有していてもよい、（ｐ＋ｒ）価のヒドロカルビルラジカルであるか、又は
Ｑ’と一緒になって、置換されていてもよい５員環若しくは６員環を形成する、（ｐ＋ｒ＋１）価のヒドロカルビルラジカルであるか、又は
共有結合であるか、又は
水素ラジカルであり、
Ｑは、エポキシド、アジリジン、カーボネート、カルボン酸無水物、カルボン酸、カルボン酸エステル、ラクトン、カルボニルクロリド、ケトン、アルデヒド、１，３−ジケトン、１，３−ケトエステル、１，３−ケトアミド、シアネート、チオシアネート、イソシアネート、イソチオシアネート、（メタ）アクリレート、（メタ）アクリルアミド、（メタ）アクリロニトリル、マレエート、マレアミド、マレイミド、フマレート、フマルアミド、イタコネート、イタコンアミド、クロトネート及びクロトンアミドから選択される反応基であり、及び
Ｑ’は、ＱとＨＸとの反応から形成された連結単位である）。
《態様９》
Ｑ’が、以下からなる群から選択される、態様８に記載の使用：
【化４】
2018512483.tif 000004
（式中、
Ｄは、Ｏ又はＳであり、
Ｗは、Ｏ又はＮＲ１０であり、かつＲ１０は、水素ラジカルであるか、又は１〜８個の炭素原子を有する一価のヒドロカルビルラジカルであり、
Ｅ０は、水素ラジカルであるか、又はメチルラジカルであり、
Ｅ１は、２〜８個の炭素原子を有し、カルボキシル置換したアルキレン、アルケンジイル又はフェニレンラジカルであり、
Ｅ２は、２〜５個の炭素原子を有するヒドロキシアルキレンラジカルであるか、又は２若しくは３個の炭素原子を有するＯ結合ヒドロキシアルキレンオキシラジカルであり、
Ｅ３は、水素ラジカルであるか、又は１〜６個の炭素原子を有し、エーテル、エステル、アミノ若しくはアミド基の形態のヘテロ原子を有していてもよい一価のヒドロカルビルラジカルであるか、又はＬと一緒になって、置換されていてもよい１，４−ブチレン若しくは１，５−ペンチレンラジカルとなり、
Ｅ４は、水素又はメチル又は２〜９個の炭素原子を有するアルコキシカルボニルメチルラジカルであり、
Ｅ５は、１〜８個の炭素原子を有するアルコキシカルボニルラジカルであるか、又はメチルラジカルであり、
Ｅ６は、水素ラジカルであるか、又は１〜８個の炭素原子を有するアルキルラジカルであり、
Ｅ７は、１〜６個の炭素原子を有する一価のヒドロカルビルラジカルであり、
Ｅ８は、水素ラジカルであるか、又は１〜６個の炭素原子を有する一価のヒドロカルビルラジカルであり、かつ
ｄは、０又は１である）。
《態様１０》
ｐが、１又は２又は３であり、かつｒが０である、態様８又は９に記載の使用。
《態様１１》
シラン基を含有する前記ポリマーが、末端シラン基を有するポリオルガノシロキサン及びシラン基を含有する有機ポリマーからなる群から選択される、態様１〜１０のいずれか一項に記載の使用。
《態様１２》
前記式（Ｉ）の少なくとも１つのアミジン及び／又は態様１〜１０のいずれか一項に記載の少なくとも１つの反応生成物と、シラン基を含有する少なくとも１つのポリマーとを含む、組成物。
《態様１３》
シラン基を含有する前記ポリマーが、末端シラン基を有するポリオルガノシロキサンである、態様１２に記載の組成物。
《態様１４》
シラン基を含有する前記ポリマーが、シラン基を含有する有機ポリマーである、態様１２に記載の組成物。
《態様１５》
接着剤又はシーラント又はコーティングである、態様１２〜１４のいずれか一項に記載の組成物。
【手続補正２】
【補正対象書類名】特許請求の範囲
【補正対象項目名】全文
【補正方法】変更
【補正の内容】
【特許請求の範囲】
【請求項１】
−  式（Ｉ）の少なくとも１つのアミジン：
Ｙ−Ａ−Ｚ  （Ｉ）
（式中、
Ａは、２〜３０個の炭素原子を有し、かつ不飽和成分を有していてもよく、かつエーテル酸素又は第二級若しくは第三級アミン窒素を有していてもよい、二価のヒドロカルビルラジカルであり、
Ｙは、ＮＲ８Ｒ９又はＮＨＲ７（式中、Ｒ８及びＲ９は、独立して、１〜８個の炭素原子を有するアルキルラジカルであるか、又は一緒になって、４〜１０個の炭素原子を有するアルキレンラジカルであり、かつＲ７は、水素ラジカルであるか、又は１〜８個の炭素原子を有するアルキル若しくはシクロアルキル若しくはアラルキルラジカルである）であり、かつ
Ｚは、窒素原子によって結合したアミジン基であり、
ここで、Ｙ及びＺは、少なくとも２個の炭素原子によって互いに隔てられている）、
及び／又は
−  前記式（Ｉ）の少なくとも１つのアミジンと、少なくとも１つの官能性化合物との少なくとも１つの反応生成物
の、シラン基を含有するポリマーをベースとする組成物の架橋用の触媒としての使用であって、
Ａが、ポリオキシアルキレンラジカルではなく、かつ前記式（Ｉ）のアミジンが、芳香環に直接結合している窒素原子又はヘテロ芳香環系の一部である窒素原子のいずれも有していない、使用。
【請求項２】
Ｚが、以下である、請求項１に記載の使用：
【化１】
2018512483.tif 000005
（式中、
Ｒ０は、水素ラジカルであるか、又は１〜８個の炭素原子を有するアルキル若しくはシクロアルキル若しくはアラルキルラジカルであり、
Ｒ１は、水素ラジカルであるか、又は１〜８個の炭素原子を有するアルキル若しくはシクロアルキル若しくはアラルキルラジカルであるか、又はＲ２と一緒になってＲ４となり、
Ｒ２は、水素ラジカルであるか、又は１〜１８個の炭素原子を有し、かつヘテロ原子を有していてもよいアルキル、シクロアルキル若しくはアラルキルラジカルであるか、又はＲ１と一緒になってＲ４となり、
Ｒ３は、水素ラジカルであるか、又は１〜１２個の炭素原子を有するアルキル若しくはシクロアルキル若しくはアラルキルラジカルであり、及び
Ｒ４は、１，２−エチレン又は１，２−プロピレン又は１，３−プロピレン又は１，３−ブチレン又は１，３−ペンチレンであり、
ここで、
Ｒ０及びＲ２は、一緒になって、３〜６個の炭素原子を有し、かつエーテル酸素又は第三級アミン窒素を有していてもよいアルキレンラジカルとなってもよく、
Ｒ２及びＲ３は、一緒になって、３〜６個の炭素原子を有するアルキレンラジカルとなってもよい）。
【請求項３】
Ｚが、以下である、請求項２に記載の使用：
【化２】
2018512483.tif 000006
【請求項４】
Ａが、１，２−エチレン、１，３−プロピレン、１，２−プロピレン、１，３−ペンチレン、１，１−ジメチル−１，２−エチレン、１，５−ペンチレン、２−メチル−１，５−ペンチレン、１，６−ヘキシレン、２，２（４），４−トリメチル−１，６−ヘキサメチレン、１，８−オクチレン、１，１０−デシレン、１，１２−ドデシレン、（１，５，５−トリメチルシクロヘキサン−１−イル）メタン−１，３、１，３−シクロヘキシレンビス（メチレン）、１，４−シクロヘキシレンビス（メチレン）、１，３−フェニレンビス（メチレン）、２−及び／又は４−メチル−１，３−シクロヘキシレン、Ｎ−メチル−４−アザ−１，７−ヘプチレン、Ｎ−エチル−４−アザ−１，７−ヘプチレン、３−アザ−１，５−ペンチレン、４−アザ−１，７−ヘプチレン、３−アザ−１，６−ヘキシレン、７−アザ−１，１３−トリデシレン、３−オキサ−１，５−ペンチレン、３，６−ジオキサ−１，８−オクチレン並びに４，７−ジオキサ−１，１０−デシレンからなる群から選択される、請求項１〜３のいずれか一項に記載の使用。
【請求項５】
Ｙが、ＮＲ８Ｒ９（式中、Ｒ８及びＲ９は、独立して、１〜８個の炭素原子を有するアルキルラジカルであるか、又は一緒になって、４〜１０個の炭素原子を有し、置換されていてもよいアルキレンラジカルである）である、請求項１〜４のいずれか一項に記載の使用。
【請求項６】
Ｙが、ＨＸ（式中、Ｘは、ＮＲ７であり、ここで、Ｒ７は、水素ラジカルであるか、又は１〜８個の炭素原子を有するアルキル若しくはシクロアルキル若しくはアラルキルラジカルである）である、請求項１〜４のいずれか一項に記載の使用。
【請求項７】
前記式（Ｉ）の少なくとも１つのアミジンが、少なくとも部分的に、官能性化合物との反応生成物の形態であり、かつ
前記官能性化合物が、エポキシド、アジリジン、カーボネート、カルボン酸無水物、カルボン酸、カルボン酸エステル、ラクトン、カルボニルクロリド、ケトン、アルデヒド、１，３−ジケトン、１，３−ケトエステル、１，３−ケトアミド、シアネート、チオシアネート、イソシアネート、イソチオシアネート、（メタ）アクリレート、（メタ）アクリルアミド、（メタ）アクリロニトリル、マレエート、マレアミド、マレイミド、フマレート、フマルアミド、イタコネート、イタコンアミド、クロトネート及びクロトンアミドから選択される少なくとも１つの反応基を有する、請求項６に記載の使用。
【請求項８】
前記反応生成物が、以下の式（ＩＩ）を有することを特徴とする、請求項７に記載の使用：
【化３】
2018512483.tif 000007
（式中、
ｐは、１〜６の整数であり、かつｒは、０〜５の整数であり、ここで、（ｐ＋ｒ）は、１〜６の整数であり、
Ｌは、
１４〜２０，０００ｇ／モルの範囲の平均分子量を有し、ヘテロ原子を有していてもよい、（ｐ＋ｒ）価のヒドロカルビルラジカルであるか、又は
Ｑ’と一緒になって、置換されていてもよい５員環若しくは６員環を形成する、（ｐ＋ｒ＋１）価のヒドロカルビルラジカルであるか、又は
共有結合であるか、又は
水素ラジカルであり、
Ｑは、エポキシド、アジリジン、カーボネート、カルボン酸無水物、カルボン酸、カルボン酸エステル、ラクトン、カルボニルクロリド、ケトン、アルデヒド、１，３−ジケトン、１，３−ケトエステル、１，３−ケトアミド、シアネート、チオシアネート、イソシアネート、イソチオシアネート、（メタ）アクリレート、（メタ）アクリルアミド、（メタ）アクリロニトリル、マレエート、マレアミド、マレイミド、フマレート、フマルアミド、イタコネート、イタコンアミド、クロトネート及びクロトンアミドから選択される反応基であり、及び
Ｑ’は、ＱとＨＸとの反応から形成された連結単位である）。
【請求項９】
Ｑ’が、以下からなる群から選択される、請求項８に記載の使用：
【化４】
2018512483.tif 000008
（式中、
Ｄは、Ｏ又はＳであり、
Ｗは、Ｏ又はＮＲ１０であり、かつＲ１０は、水素ラジカルであるか、又は１〜８個の炭素原子を有する一価のヒドロカルビルラジカルであり、
Ｅ０は、水素ラジカルであるか、又はメチルラジカルであり、
Ｅ１は、２〜８個の炭素原子を有し、カルボキシル置換したアルキレン、アルケンジイル又はフェニレンラジカルであり、
Ｅ２は、２〜５個の炭素原子を有するヒドロキシアルキレンラジカルであるか、又は２若しくは３個の炭素原子を有するＯ結合ヒドロキシアルキレンオキシラジカルであり、
Ｅ３は、水素ラジカルであるか、又は１〜６個の炭素原子を有し、エーテル、エステル、アミノ若しくはアミド基の形態のヘテロ原子を有していてもよい一価のヒドロカルビルラジカルであるか、又はＬと一緒になって、置換されていてもよい１，４−ブチレン若しくは１，５−ペンチレンラジカルとなり、
Ｅ４は、水素又はメチル又は２〜９個の炭素原子を有するアルコキシカルボニルメチルラジカルであり、
Ｅ５は、１〜８個の炭素原子を有するアルコキシカルボニルラジカルであるか、又はメチルラジカルであり、
Ｅ６は、水素ラジカルであるか、又は１〜８個の炭素原子を有するアルキルラジカルであり、
Ｅ７は、１〜６個の炭素原子を有する一価のヒドロカルビルラジカルであり、
Ｅ８は、水素ラジカルであるか、又は１〜６個の炭素原子を有する一価のヒドロカルビルラジカルであり、かつ
ｄは、０又は１である）。
【請求項１０】
ｐが、１又は２又は３であり、かつｒが０である、請求項８又は９に記載の使用。
【請求項１１】
シラン基を含有する前記ポリマーが、末端シラン基を有するポリオルガノシロキサン及びシラン基を含有する有機ポリマーからなる群から選択される、請求項１〜１０のいずれか一項に記載の使用。
【請求項１２】
前記式（Ｉ）の少なくとも１つのアミジン及び／又は請求項１〜１０のいずれか一項に記載の少なくとも１つの反応生成物と、シラン基を含有する少なくとも１つのポリマーとを含む、組成物。
【請求項１３】
シラン基を含有する前記ポリマーが、末端シラン基を有するポリオルガノシロキサンである、請求項１２に記載の組成物。
【請求項１４】
シラン基を含有する前記ポリマーが、シラン基を含有する有機ポリマーである、請求項１２に記載の組成物。
【請求項１５】
接着剤又はシーラント又はコーティングである、請求項１２〜１４のいずれか一項に記載の組成物。